(57)【要約】【課題】携帯電話通話システムを用いることで、居住者の所在を判別し、その判別結果に基づいて、ロビー機の呼出先を、インターホン親機および携帯端末機から自動的に選択するようにする。【解決手段】アクセスポイント２１は、各住戸に設置されており、インターホン制御装置１４は、サーバ装置２２に、各住戸に対応して予め登録された携帯端末３１のアドレスを通知して、その携帯端末３１が、該住戸に設置されたアクセスポイント２１と通信可能か否かの応答を受け付け、その応答に基づいて、居住者の在室、外出を判別する所在判別手段１４ａと、この在室、外出の判別結果に基づいて、ロビー機１３からの住戸の呼出し時には、インターホン親機１１を呼び出す処理と、サーバ装置２２に、該住戸に対応して予め登録された携帯端末３１のアドレスを通知して、該携帯端末３１を呼び出す処理との少なくとも一方を実行する呼出制御手段１４ｂとを備える。【選択図】図１
2010245643.tif 000002
【特許請求の範囲】
【請求項１】
共同玄関に設置されたロビー機、各住戸に設置されたインターホン親機、これらの間で呼出、通話を制御するインターホン制御装置を有した集合住宅用インターホンシステムと、住棟内にアクセスポイントを設置して、携帯端末との間で呼出、通話を制御するサーバ装置を備えた携帯電話通話システムとを組み合わせて構成されたインターホン／携帯電話複合システムであって、
前記ロビー機の呼出先として、携帯端末のアドレスを登録設定可能とした携帯端末呼出設定手段を備え、
前記アクセスポイントは、各住戸に設置されており、
前記インターホン制御装置は、前記サーバ装置に、各住戸に対応して予め登録された携帯端末のアドレスを通知して、前記アドレスの携帯端末が、該住戸に設置されたアクセスポイントと通信可能か否かの応答を受け付け、前記応答に基づいて、居住者の在室、外出を判別する所在判別手段と、
前記在室、外出の判別結果に基づいて、前記ロビー機からの住戸の呼出し時には、該住戸のインターホン親機を呼び出す処理と、前記サーバ装置に、該住戸に対応して予め登録された携帯端末のアドレスを通知して、該携帯端末を呼び出す処理との少なくとも一方を実行する呼出制御手段とを備えたインターホン／携帯電話複合システム。
【請求項２】
請求項１において、
前記インターホン制御装置は、
前記在室、外出の判別結果毎に、前記呼出制御手段の処理を予め設定登録しておく呼出処理設定手段を備えているインターホン／携帯電話複合システム。
【請求項３】
請求項１または２において、
前記携帯端末呼出設定手段は、前記インターホン親機に設けられているインターホン／携帯電話複合システム。
【請求項４】
請求項１または２において、
前記携帯端末呼出設定手段は、前記インターホン制御装置に設けられているインターホン／携帯電話複合システム。
【請求項５】
請求項１〜４のいずれかに記載されたインターホン／携帯電話複合システムに用いられるインターホン親機であって、
前記所在判別手段と、前記呼出制御手段とを有したインターホン制御装置によって呼び出されるインターホン親機。
【発明の詳細な説明】
【技術分野】
【０００１】
本発明は、集合住宅用インターホンシステムと、携帯電話通話システムとを組み合わせて構成されたインターホン／携帯電話複合システムに関する。
【背景技術】
【０００２】
インターホンシステムと、携帯電話システムとを組み合わせて構成された複合システムの従来例として、次の特許文献１には、玄関子機と、居室親機あるいは携帯端末とで相互に通信を行なうインターホンシステムが開示されており、そこでは、玄関子機から呼び出される携帯端末をＩＰ携帯電話にすることで、通話以外の情報の伝送を可能とすると共に、省線化、機器の共通化を図っている。また、玄関子機から呼出があったときに、複数の携帯端末を予め指定した順序で呼び出す、あるいは、携帯端末を屋内に配置されているものから優先的に呼び出すことが可能になっている。
【先行技術文献】
【特許文献】
【０００３】
【特許文献１】特開2007-096770号公報
【発明の概要】
【発明が解決しようとする課題】
【０００４】
しかしながら、上記特許文献１のシステムでは、玄関子機から呼出があったときに、携帯端末の呼出順序を予め設定できるが、居住者の在室、外出等に応じて、居室親機、携帯端末の中から、呼出先を自動的に選択するようにはなっていない。そこで、本発明は、携帯電話通話システムを用いることで、居住者の所在を判別し、その判別結果に基づいて、ロビー機の呼出先を、インターホン親機および携帯端末機から自動的に選択するようにしたインターホン／携帯電話複合システムを提供することを課題とする。
【課題を解決するための手段】
【０００５】
本発明によるインターホン／携帯電話複合システムは、共同玄関に設置されたロビー機、各住戸に設置されたインターホン親機、これらの間で呼出、通話を制御するインターホン制御装置を有した集合住宅用インターホンシステムと、住棟内にアクセスポイントを設置して、携帯端末との間で呼出、通話を制御するサーバ装置を備えた携帯電話通話システムとを組み合わせて構成され、前記ロビー機の呼出先として、携帯端末のアドレスを登録設定可能とした携帯端末呼出設定手段を備え、前記アクセスポイントは、各住戸に設置されており、前記インターホン制御装置は、前記サーバ装置に、各住戸に対応して予め登録された携帯端末のアドレスを通知して、前記アドレスの携帯端末が、該住戸に設置されたアクセスポイントと通信可能か否かの応答を受け付け、前記応答に基づいて、居住者の在室、外出を判別する所在判別手段と、前記在室、外出の判別結果に基づいて、前記ロビー機からの住戸の呼出し時には、該住戸のインターホン親機を呼び出す処理と、前記サーバ装置に、該住戸に対応して予め登録された携帯端末のアドレスを通知して、該携帯端末を呼び出す処理との少なくとも一方を実行する呼出制御手段とを備える。
【０００６】
また、上記構成としたときには、前記インターホン制御装置は、前記在室、外出の判別結果毎に、前記呼出制御手段の処理を予め設定登録しておく呼出処理設定手段を備えることが望ましい。
【０００７】
なお、前記携帯端末呼出設定手段は、前記インターホン親機に設けてもよい。あるいは、前記インターホン制御装置に設けてもよい。
また、前記インターホン親機は、前記インターホン制御装置によって呼び出されると、チャイム等の呼出音を鳴動させて、居住者に報知する。
【発明の効果】
【０００８】
本発明によれば、住戸に設置したアクセスポイントによって、居住者の在室、外出を判別し、その判別結果に基づいて、ロビー機の呼出先を、インターホン親機あるいは携帯端末から決定するようにしている。従って、例えば、住戸の特定の者、例えば母親が在室のときには、インターホン親機を鳴動させずに、母親が所持している携帯を呼び出す一方、母親が外出のときは、インターホン親機を鳴動させるというような、居住者の生活、家族構成等に合わせた運用が可能になる。特に、この場合は、母親が在室時は、母親のみが来客対応することになるので、子供あるいは年配者を煩わせることがなく、母親が外出時は、子供、あるいは年配者が来客対応することになるので、来客が全く無視される虞もない。
【０００９】
また、携帯端末呼出設定手段は、インターホン親機に設けた構成では、居住者自らが管理人の手を煩わせずに携帯端末のアドレスを登録することが可能なので、プライバシーが守られるという利点がある。
【００１０】
一方、携帯端末呼出設定手段は、インターホン親機に設けた構成では、携帯端末のアドレスを機臆するための記憶回路が集約でき、低コストになる。
【図面の簡単な説明】
【００１１】
【図１】は、実施例の基本的なブロック図である。
【図２】は、ロビー機からの呼出に対する処理の組合せを表にしたものである。
【図３】は、実施例の本発明に係る処理手順を示したフローチャートである。
【図４】は、実施例のより具体的なブロック図である。
【発明を実施するための形態】
【００１２】
本発明の実施例は、共同玄関に設置されたロビー機１３、各住戸に設置されたインターホン親機１１、これらの間で呼出、通話を制御するインターホン制御装置１４を有した集合住宅用インターホンシステムと、住棟内にアクセスポイント２１を設置して、携帯端末３１との間で呼出、通話を制御するサーバ装置２２を備えた携帯電話通話システムとを組み合わせて構成されている。
【００１３】
インターホン親機１１は各住戸に設置されており、ドアホン子器１２が接続されている。更に、携帯端末３１のアドレスを登録するための携帯端末呼出設定手段１１ａも備えている。この場合、居住者自らが管理人の手を煩わせずに携帯端末３１のアドレスを登録することが可能なので、プライバシーが守られるという利点がある。しかしながら、変形例として、携帯端末呼出設定手段１１ａは、インターホン制御装置１４に設けてもよい。そうすれば、携帯端末３１のアドレスを機臆するための記憶回路が集約でき、低コストになる。あるいは、携帯端末呼出設定手段１１ａは独立した形で、システム内に設け、インターホン親機１１あるいはインターホン制御装置１４から、リモート操作によって、携帯端末３１のアドレスを登録するようにしてもよい。なお、携帯端末３１と通信するアクセスポイント２１は、各住戸、および共用部の各所に設置されている。
【００１４】
インターホン制御装置１４は、インターホン親機１１、ロビー機１３、およびサーバ装置２２に接続されており、これらの間での呼出、通話を制御するもので、従来の集合住宅用インターホンシステムの制御装置と同様の基本構成になっているが、特に本発明の特徴として、サーバ装置２２に、各住戸に対応して予め登録された携帯端末３１のアドレスを通知して、そのアドレスの携帯端末３１が、該住戸に設置されたアクセスポイント２１と通信可能か否かの応答を受け付け、その応答に基づいて、居住者の在室、外出を判別する所在判別手段１４ａと、その在室、外出の判別結果に基づいて、ロビー機１３からの住戸の呼出し時には、該住戸のインターホン親機１１を呼び出す処理と、サーバ装置２２に、該住戸に対応して予め登録された携帯端末３１のアドレスを通知して、携帯端末３１を呼び出す処理との少なくとも一方を実行する呼出制御手段１４ｂとを備えている。
【００１５】
更に、インターホン制御装置１４は、所在判別手段１４ａによる在室、外出の判別結果毎に、呼出制御手段１４ｂの処理、すなわち、インターホン親機１１を呼び出すか、携帯端末３１を呼び出すかを予め設定登録しておく呼出処理設定手段１４ｃを備えてもよい。
【００１６】
サーバ装置２２は、各アクセスポイント２１と携帯端末３１との定期的な通信の有無に基づいて、各アクセスポイント２１の通信圏内に携帯端末３１があるか否かを判別し、呼出可能な携帯端末３１のアドレスをアクセスポイント２１に対応させてデータベースに登録する。従って、携帯端末３１が、あるアクセスポイント２１の通信圏内から、他のアクセスポイント２１の通信圏内に移動したときには、サーバ装置２２は、それを自動的に追跡することができる。従って、アクセスポイント２１が設置されている住棟内であれば、居住者が住戸から外出していても、携帯端末３１の発信、呼出、および通話は可能である。更に、ネットワークを通じることで、住棟外でも、アクセスポイント２１があれば、携帯端末３１の発信、呼出、および通話ができる。
【００１７】
なお、携帯電話通話システムは、IEEE 802.11（IEEE 802.11a/IEEE 802.11b）規定に従って無線ＬＡＮ機器間が相互接続するシステムを利用したものでもよい。そのような携帯端末３１としては、例えば、skipe（登録商用）用のWiFi電話機がある。WiFi電話機は、無線ＬＡＮに対応した端末の一種なので、無線ＬＡＮで規定された手順により、ネットワークに参加した後、電話機として機能する。また、現在広く普及している一般の携帯電話通話システムを利用してもよい。
【００１８】
このシステムは、従来の集合住宅用インターホンシステム、および携帯電話通話システムと同様の機能を備えている。すなわち、ロビー機１３で住戸を指定して呼出操作すると、インターホン制御装置１４は、指定された住戸のインターホン親機１１を呼び出す。呼び出されたインターホン親機１１は、チャイム等を鳴動させ、居住者に来客を伝える。居住者が応答操作をすると、インターホン制御装置１４によって、インターホン親機１１と、ロビー機１３との間に通話路が形成され、相互通話が可能になる。なお、この通話は、インターホン親機１１で所定の操作がなされるか、あるいは所定の時間経過によって終了する。また、携帯電話通話システムとしては、住棟内の他の携帯端末３１との間で、発信、受信、および通話が可能であり、更に、ネットワーク上にある他のサーバ装置２２、およびそのサーバ装置２２が制御するアクセスポイント２１を通じて、住棟外の携帯端末３１、あるいは固定端末との間でも、発信、受信、および通話が可能である。
【００１９】
更に、本発明による機能として、住戸毎に、ロビー機１３の呼出先として、携帯端末３１のアドレスを登録設定可能とし、ロビー機１３で住戸を指定した呼出操作がされると、インターホン制御装置１４は、指定された住戸に対応した携帯電話のアドレスを、サーバ装置２２に通知し、その応答として、その携帯電話と通信可能になっているアクセスポイント２１の有無、そのアクセスポイント２１の識別情報等を受け取る。ここで、その携帯電話と通信可能になっているアクセスポイント２１があり、かつそのアクセスポイント２１が、この住戸に対応して登録されたアクセスポイント２１と一致すれば、居住者が在室と判別し、他の場合は、居住者が外出と判別する。この判別を行うため、インターホン制御装置１４は、各住戸に対して、その住戸に設置されているアクセスポイント２１の識別情報を予め登録しておく必要がある。その後、インターホン制御装置１４は、居住者の在室、あるいは外出の判別結果に従って、予め設定されている呼出処理を実行する。
【００２０】
図２は、この呼出処理の組合せを表にしたものである。このように、所在判別結果、すなわち在室、外出のそれぞれの場合について、インターホン親機１１の呼出有り無しと、携帯端末３１の呼出有り無しの４通りの組合せが可能である。なお、１住戸に対して、複数の携帯端末３１のアドレスを登録しておき、携帯端末３１の呼出では、登録されている携帯電話を全て呼び出すようにしてもよい。
【００２１】
このように、本発明によれば、住戸に設置したアクセスポイント２１によって、居住者の在室、外出を判別し、その判別結果に基づいて、ロビー機１３の呼出先を、インターホン親機１１あるいは携帯端末３１から決定するようにしている。従って、例えば、住戸の特定の者、例えば母親が在室のときには、インターホン親機１１を鳴動させずに、母親が所持している携帯端末３１を呼び出す一方、母親が外出のときは、インターホン親機１１を鳴動させるというような、居住者の生活、家族構成等に合わせた運用が可能になる。特に、この場合は、母親が在室時は、母親のみが来客対応することになるので、子供あるいは年配者を煩わせることがなく、母親が外出時は、子供、あるいは年配者が来客対応することになるので、来客が全く無視される虞もない。
【００２２】
図３のフローチャートは、所在判別手段１４ａによる在室、外出の判別結果に従って、インターホン親機１１、携帯端末３１を呼び出す処理を実行する手順の例である。この手順では、まずロビー機１３において、住戸を指定した呼出操作がされたか否かを判別する（ステップ２０１）。ここで、呼出操作がされていれば、指定された住戸を特定し、その住戸に対して登録されている携帯端末３１のアドレスを、サーバ装置２２に通知して、その応答を受け付ける（ステップ２０２、２０３）。
次いで、その応答の内容、すなわち、携帯端末３１が、住戸に設置されたアクセスポイント２１と通信可能か否かという情報に基づいて、居住者の所在を判別する（ステップ２０５）。
その結果、居住者が在室であれば、インターホン親機１１を呼び出すが、居住者が外出であれば、サーバ装置２２を通じて、携帯端末３１を呼び出す（ステップ２０６、２０７）。
【００２３】
なお、上記手順では、在室、外出の判断結果に対する呼出処理として、それぞれ、インターホン親機１１の呼出、携帯端末３１の呼出を設定しているが、他の設定とした場合も、基本的な手順は同様である。
【００２４】
図４のブロック図は、本発明のより具体的な実施例であるが、その基本動作は、図１に示したシステムと同様である。ここで、インターホン親機１１に接続されているドアホン子器１２は省略している。また、共用部としては、キッズルームのみを示している。
【００２５】
インターホン親機１１は、インターホン制御装置１４との間で制御信号を送受信する制御信号送受信部１０１と、エンコードされた映像／通話信号を受信すると共に、通話信号を送信する映像／通話信号送受信部１０２と、ＣＰＵで構成された制御部１０３と、呼出音を鳴動させると共に、ハンズフリーで通話を行わせる通話部１０４と、液晶パネル等を有した表示部１０６と、複数の操作キーを有した操作部１０７とを備えている。なお、ロビー機１３の呼出先として、携帯端末３１のアドレスを登録設定する携帯端末呼出設定手段１１ａは、制御部１０３によるソフトウェア処理によって実現されている。
【００２６】
ロビー機１３は、インターホン制御装置１４との間で制御信号を送受信する制御信号送受信部１０１と、インターホン制御装置１４との間で通話信号を中継する通話信号送受信部１０２と、ＣＰＵで構成された制御部１０３と、ハンズフリーで通話を行わせる通話部１０４と、来訪者を撮影するカメラ部１１５と、カメラ部１１５が撮影しているビデオ信号を映像制御盤１７に出力する映像出力部１０８とを備える。
【００２７】
インターホン制御装置１４は、インターホン親機１１およびロビー機１３との間で制御信号を送受信する制御信号送受信部１０１と、インターホン親機１１、ロビー機１３、サーバ装置２２との間で通話信号を中継する通話信号送受信部１０２と、ＣＰＵで構成された制御部１０３とを備える。なお、居住者の在室、外出を判別する所在判別手段１４ａ、インターホン親機１１あるいは携帯端末３１を呼び出す処理を実行する呼出制御手段１４ｂ、呼出制御手段の処理を予め設定登録しておく呼出処理設定手段１４ｃは、制御部１０によるソフトウェア処理によって実現されている。
【００２８】
映像制御盤１７は、ロビー機１３から伝送されてくるビデオ信号を受け入れる映像入力部１０９と、ビデオ信号と通話信号とを重畳させて所定形式の映像／通話信号にエンコードする映像／通話結合部１１０と、その映像／通話信号をインターホン親機１１に送信すると共に、インターホン親機１１から通話信号を受信する映像／通話信号送受信部１０２と、ＣＰＵで構成された制御部１０３とを備える。
【００２９】
アクセスポイント２１は、無線ＬＡＮ規格に対応した構成であり、無線ＬＡＮ送受信モジュール１１１と、サーバ装置２２との間で制御信号やデータを送受信するデータ送受信部１１２と、ＣＰＵで構成された制御部１０３とを備えている。
【００３０】
サーバ装置２２は、インターホン制御装置１４との間で制御信号を送受信する制御信号送受信部１０１と、インターホン制御装置１４との間で通話信号を送受信する通話信号送受信部１０２と、アクセスポイント２１との間で制御信号やデータを送受信するデータ送受信部１１２と、インターネット等のネットワークとの間で制御信号やデータを送受信するネットワーク通信部１１３と、ＣＰＵで構成された制御部１０３とを備える。
【００３１】
また、携帯端末３１は、アクセスポイント２１と無線通信する無線ＬＡＮ送受信モジュール１１１と、呼出音を鳴動させると共に、通話を行わせる通話部１０４と、操作部１０７と、表示部１０６とを備えており、電源電池１１４によって作動する。
【符号の説明】
【００３２】
１１    インターホン親機
１１ａ  携帯端末呼出設定手段
１３    ロビー機
１４    インターホン制御装置
１４ａ  所在判別手段
１４ｂ  呼出制御手段
１４ｃ  呼出処理設定手段
２１    アクセスポイント
２２    サーバ装置
３１    携帯端末
【図１】
2010245643.tif 000003
【図２】
2010245643.tif 000004
【図３】
2010245643.tif 000005
【図４】
2010245643.tif 000006